(57)【要約】【課題】  建物の調整枠を用いた開口部が隣接していて、両方の調整枠のケーシング間に干渉が起きても、枠材やドアの幅を狭くせずに済むようにする。【解決手段】  予め、開口部と壁との配置関係がＴ字状、Ｌ字状、Ｉ字状などのパターンのどれであるかに応じてケーシングの最適サイズを与えるテーブルを作成しておき、隣接する開口部同士でのケーシング間に干渉が検出された場合、テーブルを検索してケーシングの最適サイズを求める。ケーシング間の干渉が解消されないときは、ケーシング間の取り合いの勝ち負けを判定して、負けた側のケーシングサイズを、干渉が解消されるまで小さくする。【選択図】    図１
2005248450.tif 000002
【特許請求の範囲】
【請求項１】
建築物間取りのＣＡＤデータから、調整枠を採用する開口部を特定し、さらに該調整枠を採用する開口部付近の壁の構成を検出することにより、開口部ごとに最適なケーシングの仕様を決定することを特徴とする最適ケーシング選定方法。
【請求項２】
前記建築物間取りのＣＡＤデータから特定した調整枠を採用する開口部の間で、ケーシングが隣接する場所の壁の構成を検出し、ケーシング同士が隣接する場所の壁の構成とそれに適合するケーシングの仕様に関しての予め定めたルールに基づいて、隣接するケーシング間の取り合い関係と、最適ケーシングの仕様とを決定することを特徴とする請求項１に記載の最適ケーシング選定方法。
【請求項３】
予め、ケーシングが隣接する場所の壁の構成をパターン化して、該パターンごとにケーシング間の取り合い関係と最適ケーシングの仕様とを与えるルールを作成しておき、建築物間取りのＣＡＤデータを入力して、開口部のケーシング同士が隣接する部分のパターンを検出し、該検出したパターンに対応する前記ルールを求めて、それに基づき、隣接するケーシング間の取り合い関係と最適ケーシングの仕様を決定することを特徴とする請求項１または請求項２に記載の最適ケーシング選定方法。
【請求項４】
前記ルールは、テーブルにデータ化されてコンピュータに記憶されており、該ルール情報に基づいて、隣接するケーシング間の取り合い関係と、最適ケーシングの仕様とを決定する処理は、プログラムによりコンピュータ処理されることを特徴とする請求項２または請求項３に記載の最適ケーシング選定方法。
【請求項５】
建築物の開口部の調整枠におけるケーシングの最適仕様を選定するケーシング仕様選定処理装置であって、
建築物間取りのＣＡＤデータを記憶する建築物ＣＡＤデータ記憶部と、
ＣＡＤデータにより、調整枠を使用する開口部を検出する調整枠開口検出処理部と、
検出した開口部について壁との接合関係を示す開口―壁接合パターンを検出する開口―壁接合パターン検出処理部と、
開口―壁接合パターンに応じてケーシング仕様を選定するルールの少なくとも一部をテーブル化して記憶するパターン―ケーシング仕様テーブル記憶部と、
検出された開口―壁接合パターンとパターン―ケーシング仕様テーブル記憶部に記憶されたテーブルとに基づいて最適のケーシング仕様を選定する処理を行う最適ケーシング仕様選定処理部と、
を備えていることを特徴とするケーシング仕様選定処理装置。
【請求項６】
前記パターン―ケーシング仕様テーブル記憶部に記憶されたテーブルは、開口部―壁接合パターンとケーシング仕様との対応を与えるテーブルであることを特徴とする請求項５に記載のケーシング仕様選定処理装置。
【請求項７】
前記パターン―ケーシング仕様テーブル記憶部に記憶されたテーブルは、２つの開口部がＬ字状に隣接する場合のケーシング間の取り合い関係とケーシングの仕様を与えるルールを含むことを特徴とする請求項５に記載のケーシング仕様選定処理装置。
【請求項８】
前記最適ケーシング仕様選定処理部が選定するケーシングの仕様には、ケーシング部材のプレカット仕様を含むことを特徴とする請求項５ないし請求項７のいずれかに記載のケーシング仕様選定処理装置。
【請求項９】
建築物の開口部の調整枠におけるケーシングの最適仕様を選定するケーシング仕様選定処理プログラムであって、
建築物間取りのＣＡＤデータを入力する建築物ＣＡＤデータ入力手段と、
ＣＡＤデータにより、調整枠を使用する開口部を検出する調整枠開口検出処理手段と、
検出した開口部と壁との接合関係を示す開口―壁接合パターンを検出する開口―壁接合パターン検出処理手段と、
開口―壁接合パターンに応じてケーシング仕様を選定するルールを適用するルール適用手段と、
検出された開口―壁接合パターンとルール適用手段のルールとに基づいて最適のケーシング仕様を選定する処理を行う最適ケーシング仕様選定処理手段と、
を備えていることを特徴とするケーシング仕様選定処理プログラム。
【請求項１０】
前記ルールは、開口―壁接合パターンとケーシング仕様との対応を与えるルールであることを特徴とする請求項９に記載のケーシング仕様選定処理プログラム。
【請求項１１】
前記ルールは、２つの開口部がＬ字状に隣接する場合のケーシング間の取り合い関係とケーシングの仕様を与えるルールを含むことを特徴とする請求項９に記載のケーシング仕様選定処理プログラム。
【請求項１２】
前記最適ケーシング仕様選定処理手段が選定するケーシングの仕様には、ケーシング部材のプレカット仕様を含むことを特徴とする請求項９ないし請求項１１のいずれかに記載のケーシング仕様選定処理プログラム。
【発明の詳細な説明】
【技術分野】
【０００１】
本発明は、建築物の開口部に取り付けるケーシングを最適に選定する最適ケーシング選定方法とケーシング選定処理装置およびプログラムに関する。
【背景技術】
【０００２】
従来より、住宅の開口部に使用する枠材として、開口部に寸法を合わせて作られた固定枠と、ある程度寸法を調整できる調整枠が用いられている。図８は固定枠の１例の断面構造を示す。図中５１は柱やマグサなどの躯体、５２は壁、５３は枠材本体、５４は躯体接合金具、５５は戸当り、５６はドアを示す。図示のように、壁厚の変化は枠材の幅で吸収する単純な構造であるが、開口部の広さに合わせて造る必要があり、基本的には壁との納まり面に隙間ができないように、仕上げにも精度が要求される。ただし、躯体接合金具５４を用いることにより、モジュール（柱間寸法）の誤差など、一定範囲の誤差に対応することが可能である。躯体接合金具５４は、枠材本体５３を柱などの躯体５１に接合するネジ式半固定の金具であり、ネジを締め弛めすることにより、開口部の柱やマグサなどの躯体５１の面から枠材本体５３を浮かす間隔を一定範囲で自在に調整出来るものである。この躯体接合金具５４は、本願出願人によって先に出願されている。
【０００３】
固定枠は、躯体接合金具５４を用いたとしてもそれで調整できる範囲は限られたものである。そこで考え出されたものが、図９に示すような調整枠である。調整枠は、枠材の側面に溝を彫って、そこにケーシングを嵌め込む構造のものである。図９中、５１、５２，５４，５５，５６は図８と共通で、５７が枠材本体であり、５８、５９がその側面に彫られたケーシング溝、６０、６１がケーシングである。ケーシング６０、６１は各一方の側部が、それぞれケーシング溝５８、５９中に嵌め込まれていて、壁５１，５２の厚みに応じてケーシング溝５８、５９中をスライドできるようになっており、またケーシング６０、６１の他方の側部は壁５１，５２の端部を覆って延びている。このため、開口部の広さや開口部付近の壁の厚みに誤差があっても、ケーシングの調整だけで容易に対応することが可能となった。さらにケーシングは、壁際の見切り材としての機能に加え、意匠性にも優れているため、このような調整枠を使用する利点は大きい。
【０００４】
また、これらの枠材と開口部の柱やマグサなどの躯体との間隔を自在に調整する金具として、図８、図９に示されている躯体接合金具５４が、本願出願人によって先に出願されている。
【発明の開示】
【発明が解決しようとする課題】
【０００５】
上述したように、開口部の枠材として、現在では調整枠が使用できるようになり、また躯体接合金具が開発されたことにより多くの問題点が改善されたが、調整枠を使用する開口部が隣接する場合に、今度は、それぞれの調整枠のケーシングがぶつかり合う干渉という新たな問題が生じてきた。このような干渉が生じた場合、建築現場にてケーシングの幅カット行って対応することは、実際問題として非常に困難なことであり、そして仮に幅カットができたとしても、精度を出すことは難しく、また意匠的にも問題が出やすいので、通常は、柱間の寸法（モジュール）に対してひと回り幅の狭い枠材とドアを採用することが行われている。図１０に、隣接した第１と第２の２つの開口部の調整枠として、干渉回避のために狭い枠材を使用した例を示す。
【０００６】
図１０において、７１，７２は第１の調整枠の枠材本体、７３，７４は第２の調整枠の枠材本体、７５〜７８は第１の調整枠のケーシング、７９〜８２は第２の調整枠のケーシング、８３，８４はドア、８５，８６は間柱である。第１の調整枠の枠材本体７１と係合するケーシング７６と第２の調整枠の枠材本体７３と係合するケーシング７９との間では、本来は干渉が起きるのであるが、間柱８５を設置して、第１の調整枠の枠材本体７１を躯体から左方に押し出して、取り付け位置をずらし、ケーシング７６と７９を離すことにより干渉を回避している。しかしその結果、図示の例の場合、使用できるドアの幅ＤＷを７０４ｍｍから６６８ｍｍに狭くしなければならなかった。
【０００７】
このように幅の狭い枠材とドアを採用した場合、有効開口面積が小さくなるので、家具等の出し入れに支障を来たし、また開口部が隣接して通行が多い上に、開口幅が他の開口部の幅よりも狭くなることから、比較されて欠点に気づかれやすく、予想以上に不快感を与えることにもなっていた。
【０００８】
さらに近年、揮発性有機化合物によるシックハウス症候群の対策として、ドアの下に隙間を設け、通気量を確保するといったことが行われているが、隙間を開け過ぎるとプライバシーや遮光、遮音の面で問題があるので、より狭い隙間で充分通気を確保しようとする場合、開口部の幅は広いほど都合が良いといえる。
【０００９】
そこで、開口部が隣接して調整枠のケーシング間に干渉が起きても、枠材やドアの幅を狭くせずに済む手段の実現が望まれている。
【課題を解決するための手段】
【００１０】
本発明は、調整枠を用いた開口部が隣接する場合の隣接ケーシング間の干渉において、従来のように枠材やドアの幅を狭くして干渉を回避するのではなく、ケーシングの取り合いや仕様選定を適切に行うことで干渉に対応するものであり、それにより枠材やドアの幅は広いものを使用できるようにする。そのため、ＣＡＤデータ上でそれぞれの調整枠のケーシング間の干渉をチェックして、干渉が生じる場合には、干渉を回避できるような最適のケーシングの仕様を、決められたルールにしたがって選定できるようにする。
【００１１】
図１は、本発明による最適ケーシング仕様選定方法およびケーシング仕様選定処理装置を例示的方法で説明する概要図である。図中、１はケーシング仕様選定処理装置、２は建築物ＣＡＤデータ記憶部、３は調整枠開口検出処理部、４は開口−壁接合パターン検出処理部、５は開口−壁接合パターンデータ記憶部、６は最適ケーシング選定処理部、６ａはルール、７はパターン−ケーシング仕様テーブル記憶部、８はケーシングデータ記憶部、９は最適ケーシング仕様データ記憶部、10はケーシングプレカット加工データ記憶部を示す。
【００１２】
建築物ＣＡＤデータ記憶部２に格納されている建築物ＣＡＤデータは、建物の設計データであり、間取りと、開口部の位置、使用する枠材が固定枠か調整枠かのタイプ情報、調整枠の場合には、ケーシングのタイプと枠材および近傍の壁との接合構造、などの開口部と壁の構成データが含まれている。調整枠開口検出処理部３は、建築物ＣＡＤデータ記憶部２のＣＡＤデータの中から調整枠を用いる開口部の位置を検出して、開口部と壁の構成データを取り出す。開口−壁接合パターン検出処理部４は、その構成データに基づいて、接合される開口部と壁の配置関係をパターン化し、それを開口−壁接合パターンとして開口−壁接合パターンデータ記憶部５に格納する。
【００１３】
一方、パターン−ケーシング仕様テーブル記憶部７には、開口−壁接合パターンの種類ごとに適用できるケーシングのタイプとサイズの仕様を示すデータがテーブルとして記憶されており、またケーシングデータ記憶部８には、利用可能なケーシングのタイプとサイズの種類の一覧データが記憶されている。
【００１４】
最適ケーシング選定処理部６は、最適ケーシング仕様を選定するためのルール６ａにをもち、このルール６ａにしたがってケーシングデータ記憶部８のケーシングデータの中から最適の仕様を決定する処理を行う。ルール６ａは、プログラムの論理およびパターン−ケーシング仕様テーブル記憶部７に記憶されているテーブルとにより構成される。枠材およびケーシングと隣接する壁との接合構造には多様なパターンがあり、最適のケーシング仕様を決定するルールはパターンごとに異なっている。そのため最適ケーシング選定処理部６は、処理対象の開口部ごとに、検出された開口−壁接合パターンを開口−壁接合パターンデータ記憶部５から取り出して、パターン−ケーシング仕様テーブル記憶部７のテーブルを検索し、そのパターンに対応する最適のケーシング仕様データを得る。しかし、テーブルの検索に失敗した場合には、ケーシングデータ記憶部８にあるケーシングデータの一覧の中から、最適のケーシングを見つける処理を行う。このようにして選定された最適ケーシング仕様データは最適ケーシング仕様データ記憶部９に格納される。またプレカット加工が必要な仕様の場合には、ケーシングプレカット加工データが作成され、ケーシングプレカット加工データ記憶部１０に格納される。これらのデータは、必要時に取り出されたり印刷出力され、あるいはネットワークへ送信される。
【００１５】
ルール６ａには、たとえば隣接する調整枠のケーシング間の取り合いについて、どちらのケーシングを優先させるかを決めるルールや、ケーシング間の取り合いで負けたケーシングの最小幅に制限を設けるルール、あるいはモジュール（柱間の寸法）やケーシングの寸法の誤差を考慮して、躯体内でのケーシングの枠組みの位置を決定するケーシングを１開口で１つとするルール、などを含むことができる。
【００１６】
本発明は、以下のように構成することができる。
〔１〕  建築物間取りのＣＡＤデータから、調整枠を採用する開口部を特定し、さらに該調整枠を採用する開口部付近の壁の構成を検出することにより、開口部ごとに最適なケーシングの仕様を決定することを特徴とする最適ケーシング選定方法の構成。
〔２〕  前記建築物間取りのＣＡＤデータから特定した調整枠を採用する開口部の間で、ケーシングが隣接する場所の壁の構成を検出し、ケーシング同士が隣接する場所の壁の構成とそれに適合するケーシングの仕様に関しての予め定めたルールに基づいて、隣接するケーシング間の取り合い関係と、最適ケーシングの仕様とを決定することを特徴とする前項１に記載の最適ケーシング選定方法の構成。
〔３〕  予め、ケーシングが隣接する場所の壁の構成をパターン化して、該パターンごとにケーシング間の取り合い関係と最適ケーシングの仕様とを与えるルールを作成しておき、建築物間取りのＣＡＤデータを入力して、開口部のケーシング同士が隣接する部分のパターンを検出し、該検出したパターンに対応する前記ルールを求めて、それに基づき、隣接するケーシング間の取り合い関係と最適ケーシングの仕様を決定することを特徴とする前項１または２に記載の最適ケーシング選定方法の構成。
〔４〕  前記ルールは、テーブルにデータ化されてコンピュータに記憶されており、該ルール情報に基づいて、隣接するケーシング間の取り合い関係と、最適ケーシングの仕様とを決定する処理は、プログラムによりコンピュータ処理されることを特徴とする前項２または３に記載の最適ケーシング選定方法の構成。
〔５〕  建築物の開口部の調整枠におけるケーシングの最適仕様を選定するケーシング仕様選定処理装置であって、
建築物間取りのＣＡＤデータを記憶する建築物ＣＡＤデータ記憶部と、
ＣＡＤデータにより、調整枠を使用する開口部を検出する調整枠開口検出処理部と、
検出した開口部について壁との接合関係を示す開口−壁接合パターンを検出する開口−壁接合パターン検出処理部と、
開口−壁接合パターンに応じてケーシング仕様を選定するルールの少なくとも一部をテーブル化して記憶するパターン―ケーシング仕様テーブル記憶部と、
検出された開口−壁接合パターンとパターン―ケーシング仕様テーブル記憶部に記憶されたテーブルとに基づいて最適のケーシング仕様を選定する処理を行う最適ケーシング仕様選定処理部と、
を備えていることを特徴とするケーシング仕様選定処理装置の構成。
〔６〕  前記パターン―ケーシング仕様テーブル記憶部に記憶されたテーブルは、開口部−壁接合パターンとケーシング仕様との対応を与えるテーブルであることを特徴とする前項５に記載のケーシング仕様選定処理装置の構成。
〔７〕  前記パターン―ケーシング仕様テーブル記憶部に記憶されたテーブルは、２つの開口部がＬ字状に隣接する場合のケーシング間の取り合い関係とケーシングの仕様を与えるテーブルを含むことを特徴とする前項６に記載のケーシング仕様選定処理装置の構成。
〔８〕  前記最適ケーシング仕様選定処理部が選定するケーシングの仕様は、ケーシング部材のプレカット仕様を含むことを特徴とする前項５ないし７のいずれかに記載のケーシング仕様選定処理装置の構成。
〔９〕  建築物の開口部の調整枠におけるケーシングの最適仕様を選定するケーシング仕様選定処理プログラムであって、
建築物間取りのＣＡＤデータを入力する建築物ＣＡＤデータ入力手段と、
ＣＡＤデータにより、調整枠を使用する開口部を検出する調整枠開口検出処理手段と、
検出した開口部と壁との接合関係を示す開口−壁接合パターンを検出する開口−壁接合パターン検出処理手段と、
開口−壁接合パターンに応じてケーシング仕様を選定するルールを適用するルール適用手段と、
検出された開口−壁接合パターンとルール適用手段のルールとに基づいて最適のケーシング仕様を選定する処理を行う最適ケーシング仕様選定処理手段と、
を備えていることを特徴とするケーシング仕様選定処理プログラムの構成。
〔１０〕  前記ルールは、開口−壁接合パターンとケーシング仕様との対応を与えるルールであることを特徴とする前項９に記載のケーシング仕様選定処理プログラムの構成。
〔１１〕  前記ルールは、２つの開口部がＬ字状に隣接する場合のケーシング間の取り合い関係とケーシングの仕様を与えるルールを含むことを特徴とする前項９に記載のケーシング仕様選定処理プログラムの構成。
〔１２〕  前記最適ケーシング仕様選定処理手段が選定するケーシングの仕様は、ケーシング部材のプレカット仕様を含むことを特徴とする前項９ないし１１のいずれかに記載のケーシング仕様選定処理プログラムの構成。
【発明の効果】
【００１７】
本発明によれば、建築物内の開口部に調整枠が用いられる場合に、調整枠と壁との接合関係や調整枠同士の隣接関係などの異なる多様な構成について、それぞれパターン化することにより、調整枠のケーシングの最適仕様を簡単に決定できるので、調整枠およびケーシングの仕様決定と見積積算とを迅速化することが出来、また現場での加工作業を不要にするので、施工期間の短縮および仕上げ精度の向上を図ることが出来る。
【発明を実施するための最良の形態】
【００１８】
図２は、図１に示した本発明によるケーシング仕様選定処理装置に対応する１実施例のコンピュータによる構成図である。図２の構成において、１１はＣＰＵ，１２はキーボード、１３は表示装置、１4 はプリンタ、１５は通信インタフェース、１６は記憶装置である。２１〜２５は記憶装置１６上に置かれたプログラムで、２１は建築ＣＡＤシステム、２２は調整枠開口検出処理プログラム、２３は開口−壁接合パターン検出処理プログラム、２４は最適ケーシング選定処理プログラム、２５はプレカット加工処理プログラムである。また、３１〜３７は同様に記憶装置１６上に置かれたデータで、３１は建築物ＣＡＤデータ、３２は調整枠開口検出データ、３３は開口−壁接合パターンデータ、３４はパターン−ケーシング仕様テーブル、３５はケーシングデータ、３６は最適ケーシング仕様データ、３７はケーシングプレカット加工データである。
【００１９】
なお、図２の調整枠開口検出処理プログラム２２、開口−壁接合パターン検出処理プログラム２３、最適ケーシング選定処理プログラム２４は、それぞれ、図１の調整枠開口検出処理部３、開口−壁接合パターン検出処理部４、最適ケーシング選定処理部６に対応して、その機能を実現するためのプログラムであり、また図２の建築物ＣＡＤデータ３１、開口−壁接合パターンデータ３３、パターン―ケーシング仕様テーブル３４、ケーシングデータ３５、最適ケーシング仕様データ３６、ケーシングプレカット加工データ３７は、それぞれ図１の建築物ＣＡＤデータ記憶部２、開口−壁接合パターンデータ記憶部５、パターン−ケーシング仕様テーブル記憶部７、ケーシングデータ記憶部８、最適ケーシング仕様データ記憶部９、ケーシングプレカット加工データ記憶部１０に格納されているデータである。
【００２０】
各プログラム２１〜２５は、メニュー画面からの呼び出し、あるいは定められた画面遷移制御によって起動され、それぞれの処理を表示装置１３に表示された画面との対話により、あるいは自動処理により実行する。建築ＣＡＤシステム２１では、建築物の間取り、開口セット、柱等の設計入力を行い、設計結果の間取り図等のデータを建築物ＣＡＤデータ３１として記憶保存する。調整枠開口検出処理プログラム２２は、表示画面に間取り図を開き、建築物内の各開口部の位置を検出して、画面に表示するとともに、調整枠開口検出データ３２を作成する。開口−壁接合パターン検出処理プログラム２３は、調整枠開口検出データ３２に基づいて、調整枠を使用している開口部ごとに、開口部と壁の配置パターンを識別して、開口−壁接合パターンデータ３３を作成する。
【００２１】
最適ケーシング選定処理プログラム２４は、検出された開口−壁接合パターンデータ３３によりパターン―ケーシング仕様テーブル３４を検索する。検出された開口−壁接合パターンがパターン―ケーシング仕様テーブル３４に登録されているいずれかのパターンに一致した場合、そのパターンの対となっているケーシング仕様データを、最適ケーシング仕様データ３６として記憶保存し、また一致するパターンを見出すことが出来なかった場合には、ケーシングデータ３５から利用可能なケーシングの一覧データを読み出して、適合するケーシング仕様を求め、それを最適ケーシング仕様データ３６として記憶保存する。なお、後述される図４の（ａ）の開口−壁組合せパターンテーブルなど、パターン―ケーシング仕様テーブル３４は、複数種類のデーブルで構成されることが出来る。
【００２２】
プレカット加工処理プログラム２５は、最適ケーシング仕様データ３６の中で既存のサイズ製品を適用できないケーシング仕様を検出し、加工指示用のケーシングプレカット加工データ３７を作成する。
【００２３】
図３は、開口−壁接合パターンの具体例の説明図である。図３の（Ａ）は開口−壁接合パターンの例を示し、図３の（Ｂ）は開口端部判定テーブルで、パターンの種類を判定するための特徴を登録したものである。図３の（Ａ）に示すパターンは、壁４１と開口４２の配置の組合せパターンであり、壁４１に接合する開口４２の端部が単独の場合、壁４１の形状と接合の仕方により、Ｔ字型、Ｌ字型、Ｉ字型のパターンに分かれる。また２つの開口の端部が隣接して壁に接合する場合は、Ｔ１型、Ｔ２型、Ｌ型のパターンに分かれる。なお、９０度、１８０度の回転や上下、左右に反転したパターンは、別種のパターンとして扱われる。これは、ＣＡＤデータ上でのパターンの判定を容易にするためである。
【００２４】
図４は、開口−壁接合パターンの具体例を示す説明図である。図４の（ａ）は開口−壁組合せパターンテーブルの例であり、図４の（ｂ）に示す開口−壁接合パターンの例に対応する。開口−壁組合せパターンテーブルは、複数の開口−壁接合パターンが連結されている場合に適用されるテーブルである。図４の（ｂ）の組合せパターン例では、２つの開口Ａ，Ｂが３つの壁４３，４４，４５の間に配置されている。このため、開口Ａの左端と壁４３との間がＴ字型パターンとなり、また開口Ａの右端および開口Ｂの上端と壁４４との間の隣接部がＬ字型パターン，そして開口Ｂの下端と壁４５との間がＩ型パターンとなる。したがってＴ，Ｌ，Ｉの３つの組合せパターンとなり、図４の（ａ）の開口−壁組合せパターンテーブルでは、開口Ａ，Ｂのそれぞれのケーシングのサイズは２４ｍｍとして与えられる。
【００２５】
図５は、本発明の１実施例による最適ケーシング選定処理の概略フローである。以下に、図中のステップ番号Ｓ１〜Ｓ１０にしたがって、処理の流れを説明する。Ｓ１〜Ｓ５がＣＡＤ設計処理であり、Ｓ６が本発明にかかわる最適ケーシング仕様選定処理、Ｓ７〜Ｓ９が出力処理である。
（Ｓ１）  ＣＡＤシステムによる建築物の設計を開始するため、基本モジュール（柱間サイズ）、柱サイズ、内部壁厚などの基本情報を入力する。
（Ｓ２）  開口部を検出し、開口部ごとに、使用する開口部の枠材とケーシングのタイプを選択する。枠材としては固定枠か調整枠かを指定し、ケーシングについてはレギュラータイプや加飾タイプなどを指定する。ケーシングのタイプは調整枠の場合にだけ指定される。
（Ｓ３）  建築物の開口部を含む間取りを設計入力する。
（Ｓ４）  開口セットの配置を入力する。まず、開口セットを配置する予定の開口部について、モジュールから枠とドアの寸法を決定し、配置可能な開口セットの一覧を画面に表示して、選択させる。
（Ｓ５）  柱の配置を入力する。縦部材は、開口セットのパッキンスペースだけ離した外側に、設置できる隙間があるときにだけ配置する。
（Ｓ６）  開口部を１つずつ選択し、調整枠・ケーシングを使用するものかどうかを調べる。調整枠を使用しない開口部の場合はＳ７をスキップする。
（Ｓ７）  選択した調整枠のケーシングについて、パターン―ケーシング仕様テーブルを用いて最適仕様を選定する処理を行う。処理の詳細は、図６の細部フローで説明される。
（Ｓ８）  開口部・ケーシングの配置図面を出力する。
（Ｓ９）  プレカット加工が必要なケーシング仕様について、プレカット加工の指示を出力する。
（Ｓ１０）ケーシングの見積積算を行い、結果を出力する。
【００２６】
図６は、図５のステップＳ７における最適ケーシング仕様選定処理の細部フロー図である。この処理は、まず、第１の段階ですべての開口の端部のケーシングについて単独のパターンとして基本パターンテーブルにより適切なケーシングサイズを取得して記憶保存し、次に第２の段階として、開口Ｌ字型隣接部のパターンを検出して干渉をチェックし、干渉があれば開口−壁組合せパターンテーブルを検索してテーブルの最適値を取得し、他方、テーブルに該当するパターンがないときには、勝ちと負けの開口をルールで判定して、負け側の開口のケーシングのサイズを、干渉がなくなるまで順次小さくして行って最適化するものである。。以下、図中のステップＳ７１〜Ｓ７９にしたがって、処理の流れを説明する。
（Ｓ７１）  開口を順次選択して、開口と壁との位置関係のパターンとケーシングタイプとから、基本パターンテーブルによりケーシングサイズを取得して記憶保存する。
（Ｓ７２）  すべての開口の中から、開口Ｌ字型隣接部のパターンをもつものを１つ検出する。
（Ｓ７３）  開口Ｌ字型隣接部のパターン内のケーシング同士について、干渉の有無をチェックする。
（Ｓ７４）  干渉がある（ＹＥＳ）場合はＳ７５へ進み、干渉がない場合（ＮＯ）はＳ７９へ進む。
（Ｓ７５）  干渉があるときは、まず開口−壁組合せパターンテーブルを優先させて検索する。
（Ｓ７６）  該当するパターンが見付かり、検索に成功したならば（ＹＥＳ）、Ｓ７７へ進み、検索に失敗したならば（ＮＯ）、Ｓ７８へ進む。
（Ｓ７７）  テーブルのケーシングサイズを取得して、記憶を更新し、Ｓ７３へ戻る。
（Ｓ７８）  テーブルの検索に失敗したので、ルールに従い勝ち負けの開口を決定してから、負け側の開口のケーシングサイズを小さいものに置き換える。置き換えたサイズで記憶を更新し、Ｓ７３へ戻る。
（Ｓ７９）  未検出の開口Ｌ字型隣接部が残っていれば（ＹＥＳ）、Ｓ７２へ戻り、残っていなければ（ＮＯ）、終了する。
【００２７】
図７は、本発明によるケーシング仕様選定処理装置の具体例を示す。図中、４６は建築ＣＡＤ用パソコン、４７はサーバー、４８はデータベース、４９はプリンター、５０はＬＡＮである。建築ＣＡＤ用パソコン４６とサーバー４７はＬＡＮ５０により結合されていて、相互にデータを転送することが出来る。また図示省略されているが、ＬＡＮ５０には他のパソコンも接続されている。プリンター４９は、ネットワーク資源としてＬＡＮ５０上の端末により共用される。建築ＣＡＤ用パソコン４６は、主として、図５の概略フロー中のステップＳ１〜Ｓ５に示されるＣＡＤ設計処理を受け持ち、サーバー４７は、ステップＳ６〜Ｓ１０に示される最適ケーシング仕様選定処理その他の処理を受け持つ。サーバー４７が管理するデータベース４８には、建築施工の物件データや、建築ＣＡＤ用パソコン４６で設計された建築物のＣＡＤデータ、およびケーシングのプレカット加工データ等が格納されている。サーバー４７は、データベース４８のＣＡＤデータに基づいて、調整枠のケーシングの最適仕様を決定し、ケーシング間配集計表やケーシング加工指示データを作成し、また見積書を作成して、プリンター４９から、住宅平立面図、ケーシング間配集計表、ケーシング加工指示書、見積書などを出力する。
【図面の簡単な説明】
【００２８】
【図１】本発明による最適ケーシング仕様選定方法およびケーシング仕様選定処理装置を例示的方法で説明する概要図である。
【図２】本発明によるケーシング仕様選定処理装置の１実施例の構成図である。
【図３】開口−壁接合パターンのの説明図である。
【図４】開口−壁接合パターンの具体例を示す説明図である。
【図５】最適ケーシング仕様選定処理の概略フロー図である。
【図６】最適ケーシング仕様選定処理の細部フロー図である。
【図７】ケーシング仕様選定処理装置の具体例を示す説明図である。
【図８】従来の固定枠の１例の断面図である。
【図９】従来の調整枠の１例の断面図である。
【図１０】狭い枠材を用いた従来例の断面図である。
【符号の説明】
【００２９】
１：ケーシング仕様選定処理装置
２：建築物ＣＡＤデータ記憶部
３：調整枠開口検出処理部
４：開口−壁接合パターン検出処理部
５：開口−壁接合パターンデータ記憶部
６：最適ケーシング選定処理部
６ａ：ルール
７：パターン−ケーシング仕様テーブル記憶部
８：ケーシングデータ記憶部
９：最適ケーシング仕様データ記憶部
１０：ケーシングプレカット加工データ記憶部
【図１】
2005248450.tif 000003
【図２】
2005248450.tif 000004
【図３】
2005248450.tif 000005
【図４】
2005248450.tif 000006
【図５】
2005248450.tif 000007
【図６】
2005248450.tif 000008
【図７】
2005248450.tif 000009
【図８】
2005248450.tif 000010
【図９】
2005248450.tif 000011
【図１０】
2005248450.tif 000012